(57)【要約】【課題】高層ビルのような複数の人が纏まって頻繁に訪れるような環境であっても、利用者グループに対する、エレベータの群管理を迅速かつ適切に達成できるエレベータ制御システム、エレベータ制御装置及びエレベータ制御方法を提案する。【解決手段】セキュリティゲートを介して利用される複数のエレベータを制御するエレベータ制御システムにおいて、セキュリティゲートを通過した乗客のＩＤを検出する検出回路と、複数のエレベータの運行を制御するエレベータ制御装置とを備え、エレベータ制御装置は、ＩＤを受信し、ＩＤを受信したタイミングとＩＤとを利用して複数のＩＤをグループ化し、グループ化した複数のＩＤに基づいて複数のエレベータに対して群管理を適用するようにした。【選択図】図２
2019031393.tif 000002
【特許請求の範囲】
【請求項１】
セキュリティゲートを介して利用される複数のエレベータを制御するエレベータ制御システムであって、
前記セキュリティゲートを通過した乗客のＩＤを検出する検出回路と、
複数の前記エレベータの運行を制御するエレベータ制御装置と
を備え、
前記エレベータ制御装置は、前記ＩＤを受信し、前記ＩＤを受信したタイミングと前記ＩＤとを利用して複数の前記ＩＤをグループ化し、グループ化した複数の前記ＩＤに基づいて複数の前記エレベータに対して群管理を適用する
エレベータ制御システム。
【請求項２】
セキュリティゲートからのＩＤの入力によって入退管理が行われた同一建築物内に設置された複数のエレベータを制御するエレベータ制御装置であって、
前記セキュリティゲートから受信するＩＤを管理するＩＤ管理モジュールと、
前記ＩＤ管理モジュールから取得するＩＤ管理情報を基に乗客を複数の前記エレベータの乗りかごに割り当てる乗りかご割り当てモジュールと
を備え、
前記ＩＤ管理モジュールは、ＩＤが入力された時間に応じて前記ＩＤによって特定される前記乗客をグループに割り当て、
前記乗りかご割り当てモジュールは同一グループに割り当てられた前記ＩＤによって特定される前記乗客を同じ前記乗りかごに割り当てる
エレベータ制御装置。
【請求項３】
前記ＩＤ管理モジュールは、所定の秒数の間に連続して、建築物へ入場する複数の前記ＩＤの入力を検出した場合、
前記ＩＤによって特定される前記乗客を同一グループに割り当てる
請求項２記載のエレベータ制御装置。
【請求項４】
前記ＩＤ管理モジュールは、所定の秒数の間に連続して、建築物から退場する複数の前記ＩＤの入力を検出した場合、
当該退場があった日に限り前記ＩＤによって特定される前記乗客を同一グループとする
請求項２記載のエレベータ制御装置。
【請求項５】
前記ＩＤ管理モジュールは、所定の分数の間に、建築物に入場又は建築物から退場する複数の前記ＩＤの入力を検出した場合、
前記入場又は前記退場があった日から所定の日数の間複数の前記ＩＤによって特定される前記乗客を同一グループとする
請求項２記載のエレベータ制御装置。
【請求項６】
セキュリティゲートによって入退管理が行われた同一建築物内に設置された複数のエレベータをエレベータ制御装置によって制御するエレベータ制御方法であって、
前記エレベータ制御装置は、
前記セキュリティゲートから受信するＩＤを管理するＩＤ管理モジュールと、
前記ＩＤ管理モジュールから取得する前記ＩＤを基に複数の前記エレベータの乗りかごを割り当てる乗りかご割り当てモジュールと
を有し、
前記ＩＤ管理モジュールが、前記ＩＤによって特定される乗客を前記ＩＤが入力された時間に応じてグループ化する第１のステップと、
前記乗りかご割り当てモジュールが同一グループ内の前記ＩＤによって特定される前記乗客を同じ前記乗りかごへ割り当てる第２のステップと
を備えるエレベータ制御方法。
【発明の詳細な説明】
【技術分野】
【０００１】
本発明は、エレベータの群管理システムに関する。
【背景技術】
【０００２】
エレベータはビル内における主要移動手段として重要であり、高層ビルでは、多数の乗客の輸送のために、階層ごとに複数台のエレベータが設置されるなど、多くのエレベータが運用されている。したがって、多数のエレベータを効率良く運用する群管理システムが不可欠である。
【０００３】
エレベータ群管理は、ビル内の運行状況に応じて最適なエレベータを割り当てる割り当て制御と、出退勤時・昼食時など周期的に繰り返される、多数の乗客の交通量の変化に応じてエレベータ群の運行を決定する運転制御に大別することができる。
【０００４】
エレベータの群管理システムの一例として、特許文献１には、エレベータに乗車しようとしている利用者が乗り場の行先操作盤から入力した、行先階と利用者人数（グループの人数）とに基づいて、人数分の空きがある乗りかごを効率的に割り当てることが開示されている。
【０００５】
そして、特許文献２には、ビデオカメラが乗り場近傍の画像を撮像し、その画像から利用者人数（グループの人数）を判断し、人数分の空きがある乗りかごを割り当てるシステムが開示されている。
【先行技術文献】
【特許文献】
【０００６】
【特許文献１】特表２００７−５１８６５２号公報
【特許文献２】特開２０１５−２０２９２５号公報
【発明の概要】
【発明が解決しようとする課題】
【０００７】
しかしながら、従来の群管理システムにおいては、利用者人数の登録が必要であったり、乗り場の画像から利用者の人数を判断しなければならなかったりなど、利用者グループに対する、エレベータの群管理を迅速かつ適切に進めることができなかった。そこで、本発明は、高層ビルのような複数の人が纏まって頻繁に訪れるような環境であっても、利用者グループに対する、エレベータの群管理を迅速かつ適切に達成できるエレベータ制御システム、エレベータ制御装置及びエレベータ制御方法を提供することを目的とする。
【課題を解決するための手段】
【０００８】
かかる課題を解決するため本発明においては、セキュリティゲートを介して利用される複数のエレベータを制御するエレベータ制御システムにおいて、セキュリティゲートを通過した乗客のＩＤを検出する検出回路と、複数のエレベータの運行を制御するエレベータ制御装置とを備え、エレベータ制御装置は、ＩＤを受信し、ＩＤを受信したタイミングとＩＤとを利用して複数のＩＤをグループ化し、グループ化した複数のＩＤに基づいて複数のエレベータに対して群管理を適用するようにした。
【０００９】
また本発明においては、セキュリティゲートからのＩＤの入力によって入退管理が行われた同一建築物内に設置された複数のエレベータを制御するエレベータ制御装置であって、セキュリティゲートから受信するＩＤを管理するＩＤ管理モジュールと、ＩＤ管理モジュールから取得するＩＤ管理情報を基に乗客を複数のエレベータの乗りかごに割り当てる乗りかご割り当てモジュールとを備え、ＩＤ管理モジュールは、ＩＤが入力された時間に応じてＩＤによって特定される乗客をグループに割り当て、乗りかご割り当てモジュールは同一グループに割り当てられたＩＤによって特定される乗客を同じ乗りかごに割り当てるようにした。
【００１０】
さらに本発明においては、セキュリティゲートによって入退管理が行われた同一建築物内に設置された複数のエレベータをエレベータ制御装置によって制御するエレベータ制御方法であって、エレベータ制御装置は、セキュリティゲートから受信するＩＤを管理するＩＤ管理モジュールと、ＩＤ管理モジュールから取得するＩＤ管理情報を基に複数のエレベータの乗りかごを割り当てる乗りかご割り当てモジュールとを有し、ＩＤ管理モジュールが、ＩＤによって特定される乗客をＩＤが入力された時間に応じてグループ化する第１のステップと、乗りかご割り当てモジュールが同一グループ内のＩＤによって特定される乗客を同じ乗りかごへ割り当てる第２のステップとを設けるようにした。
【発明の効果】
【００１１】
本発明によれば、高層ビルのような複数の人が纏まって頻繁に訪れるような環境であっても、利用者グループに対する、エレベータの群管理を迅速かつ適切に達成できるエレベータ制御システム、エレベータ制御装置及びエレベータ制御方法を実現できる。
【図面の簡単な説明】
【００１２】
【図１】本実施形態を適用可能な建物のフロアを示す概念図である。
【図２】本実施形態によるエレベータ制御装置の構成を示すブロック図である。
【図３】本実施形態による履歴管理テーブル及びグループ管理テーブルの構成を示す概念図である。
【図４】本実施形態によるセキュリティゲート連動グループ別乗りかご割り当て処理の処理手順を示すフローチャートである。
【図５】本実施形態によるグループ設定処理の処理手順を示すフローチャートである。
【図６】本実施形態による群管理制御処理の処理手順を示すフローチャートである。
【図７】本実施形態によるグループチェック処理の処理手順を示すフローチャートである。
【図８】他の実施形態によるグループ設定処理の処理手順を示すフローチャートである。
【図９】他の実施形態によるグループチェック処理の処理手順を示すフローチャートである。
【発明を実施するための形態】
【００１３】
以下図面について、本発明の一実施形態を詳述する。
【００１４】
（１）本実施形態によるエレベータ制御システムの構成
企業ビルや政府機関の建物では、来訪者は、セキュリティゲートを通過してエレベータの乗降場に行けるようになっていることが普通である。そこで、本発明は、セキュリティゲートの通過情報を利用して複数の乗客をグループ化し、グループ情報を利用することによって、乗客がセキュリティゲートを通過した時点で、エレベータの群管理制御を行えるようにした。この結果、多人数が利用する高層ビルのような環境であっても、エレベータの群管理が迅速かつ適切に実現される。
【００１５】
図１は、本発明が適用可能な建物のフロア図である。符号の２はエレベータであり、符号３はセキュリティ機能を備えた入退場のゲートであり、符号５は、ゲートに敷設された表示器であり、符号８は、エレベータ制御装置である。
【００１６】
ビル等の建物への来訪者は、セキュリティゲート３を通過するためのＩＤを備えるノード４を携行する。ノード４としては、ＩＤカード、スマートフォンを含む電子機器などでよく、特に限定されない。セキュリティゲート３としては、入場用ゲート、退場用ゲートに分かれていてもよいし、共用する形態でもよい。
【００１７】
セキュリティゲート３は、ＩＤの検出回路を備える。検出回路は、セキュリティゲート３をノード４が通過する度に、検出情報をエレベータ制御装置８の履歴管理テーブル１３に登録できるように出力する。エレベータ制御装置８は、履歴管理テーブル１３に、検出情報として、ＩＤ、セキュリティゲートの入場タイミング、セキュリティゲート３の退場タイミングを継続的に記録する。タイミングとは日付と時刻であり、或いは、順番であり、或いは、一人がセキュリティゲート３を通過してから他の人がこれを通過するまでの時間などでもよい。エレベータ制御装置８は、ＩＤに利用者情報が登録されていれば、検出したＩＤから、利用階を特定するようにしてもよい。利用者情報とは、例えば、勤務先、訪問先である。
【００１８】
エレベータ制御装置８は、履歴管理テーブル１３を常時参照して、互いに関連しながらエレベータ２を利用しようとしている複数の人のグループを設定し、或いは、グループを解消し、これらグループ情報をグループ管理テーブル１４に登録する。エレベータ制御装置８は、セキュリティゲート３においてＩＤが検出されると、エレベータの群管理制御を実行して、エレベータ２の利用情報を表示器５に出力する。エレベータ２の利用情報とは、どのエリアのエレベータ２であるか、何号機のエレベータ２であるかなど、エレベータ２の利用者に有益な情報である。エレベータ制御装置８は、セキュリティゲート３において検出されたＩＤを利用してグループ管理テーブル１４を参照し、グループ管理テーブル１４からグループ情報を取得する。エレベータ制御装置８は、グループ情報を利用して、グループ内の複数のＩＤ（複数の利用者）が同じエレベータ２に乗れるように、既述の群管理制御を実行する。
【００１９】
次に、エレベータ制御システム１の一形態のブロック図を図２に示す。エレベータ制御システム１は、既述の検出回路と、エレベータ制御装置８とを備える。エレベータ制御装置８は、コンピュータから構成されてよく、コントローラ９と、制御プログラムを格納するメモリ１０とを含む。コントローラ９は制御プログラムを実行して、エレベータ２の群管理を含むエレベータ制御を実行する。
【００２０】
コントローラ９は、エレベータ制御装置８全体の動作制御を司るプロセッサである。またメモリ１０は、例えば半導体記憶装置から構成され、各種プログラムや必要な情報を保持するために利用される。メモリ１０に格納されたプログラムをコントローラ９が実行することにより、エレベータ制御装置８全体としての各種処理が行われる。
【００２１】
このような構成を備えたエレベータ制御装置８において、エレベータの群管理が迅速かつ適切に実現されるように、エレベータ制御装置８は、時間帯に応じて乗客をそれぞれのエレベータ２の乗りかごに割り当てる方法を変える必要がある。つまり出退勤時や昼食時などの混雑時には、ノード４によってＩＤが入力された順に、すぐにエレベータ２を割り当てていき、乗客の待ち時間を少なくする必要がある。
【００２２】
またエレベータ制御装置８は、混雑しない時間帯には、同一階に移動する乗客同士に同じエレベータ２を割り当て、他のエレベータ２の乗りかごの移動を控える必要がある。混雑時以外に乗客が連続してセキュリティゲートを通過する場合であって、例えば、顧客と同行している場合や行先階は異なるが乗客同士に面識がある場合などの乗客同士に結びつきがある場合にエレベータ制御装置は、乗客同士に同じエレベータ２の乗りかごを割り当てることが望ましい。
【００２３】
そこで本実施形態のエレベータ制御システム１では、ＩＤが入力された時間に応じて乗客をグループに割り当てる機能（セキュリティゲート連動グループ別乗りかご割り当て機能）がエレベータ制御装置８に搭載されている。
【００２４】
実際上、本実施形態のエレベータ制御システム１の場合、混雑時以外において、エレベータ制御装置８は、セキュリティゲート３より取得するＩＤから特定される乗客をグループに分類する。
【００２５】
セキュリティゲート３は、入場時と退場時とのそれぞれの場合にノード４からＩＤを取得するが、グループ化は、入場の場合のＩＤと退場の場合のＩＤとを混合しては行わない。
【００２６】
またグループ化の際にはグループ化を解除する条件を設ける。例えば、グループ登録から経過した期間によってグループ化を解除する。例えばこのグループは２種類とし、ＩＤが短期間の間だけ保存される第１のグループと、ＩＤが長期間の間保存される第２のグループとがある。
【００２７】
第１のグループは、最初のＩＤの入力から所定の秒数内（例えば３秒以内）に入力されたＩＤから特定される乗客をグループ化してグループ情報とする。このグループ情報は、例えば、その日のうちだけ有効であり、日が変わるとこのグループ情報は削除される。
【００２８】
一方、第２のグループは、最初のＩＤの入力から所定の分数内（例えば１分以内）に入力されたＩＤから特定される乗客をグループ化してグループ情報とする。このグループ情報は、例えば、グループ情報が作成されてから１カ月間有効であり、１カ月を過ぎるとこのグループ情報は適宜変更される。なお表示器５には、割り当てられたグループ番号やグループ名などのグループの情報が表示される。
【００２９】
セキュリティゲート連動グループ別乗りかご割り当て機能を利用すると、例えば、乗客Ａと乗客Ｂとが、セキュリティゲート３から３秒以内に連続して退場して外出し、その日のうちに外出から戻る場合、退場の際に乗客Ａと乗客Ｂとがグループ化されているため、乗客Ａ，Ｂは同一のエレベータ２の乗りかごに乗車することができる。
【００３０】
なお乗客Ａと乗客Ｂとが、セキュリティゲート３から３秒以内に連続して入場した場合、この入場の際に乗客Ａと乗客Ｂとはグループ化され、同一のエレベータ２の乗りかごに乗車することができる。
【００３１】
また、例えば第１のグループによるグループ化ではその日のうちしかグループ情報は有効ではないが、第２のグループによるグループ化ではグループ化をする日とグループ化した情報を使う日とが異なった日でもよい。また短期間内に連続で入場する第１のグループにおけるグループ内の乗客間の結びつきは第２のグループにおけるグループ内の乗客間の結びつきよりも強いと考えられるため、第１のグループによるグループ化を第２のグループによるグループ化よりも優先する。
【００３２】
なおグループに割り当てられたエレベータ２の乗りかごが定員の上限となってしまった場合は、そのグループの乗りきらない乗客に対して次のエレベータ２の乗りかごを割り当てる。
【００３３】
このようにグループの人数分の空きがあるエレベータ２の乗りかごを割り当てるため、グループ内の乗客は同じエレベータ２の乗りかごに乗車することができる。なお複数のグループが検出された場合は、一番人数の多いグループの人数分の空きを確保する。
【００３４】
以上のような本実施形態によるセキュリティゲート連動グループ別乗りかご割り当て機能を実現するための手段として、図２に示すように、エレベータ制御装置８のメモリ１０には、ＩＤ情報管理モジュール１１、乗りかご割り当てモジュール１２、履歴管理テーブル１３及びグループ管理テーブル１４が格納されている。
【００３５】
ＩＤ情報管理モジュール１１は、セキュリティゲート３から取得するＩＤ（ここではＩＤから一意に識別可能な乗客名）を、履歴管理テーブル１３及びグループ管理テーブル１４によって管理する機能を有するプログラムである。
【００３６】
乗りかご割り当てモジュール１２は、履歴管理テーブル１３及びグループ管理テーブル１４を参照し、グループ化された乗客を同一のエレベータ２の乗りかごを割り当てる機能を有するプログラムである。
【００３７】
一方、履歴管理テーブル１３は、乗客がセキュリティゲート３を通過した履歴を管理する際に利用されるテーブルであり、図３（Ａ）に示すように、通過時刻欄１３Ａ、乗客名欄１３Ｂ、方向欄１３Ｃを備えて構成される。履歴管理テーブル１３では、１つのエントリ（行）は１人の乗客がセキュリティゲートを通過した日時分秒に対応する。またエントリは、上から順に登録される。
【００３８】
通過時刻欄１３Ａには、「５／１０  １５：１５：００」といった形式で、乗客の通過した日付及び時刻が何時何分何秒と秒数まで格納される。また乗客名欄１３Ｂには、ＩＤから一意に識別可能な乗客名が格納される。方向欄１３Ｃには、入場又は退場といった建物に対する乗客の進行方向情報が格納される。
【００３９】
また、グループ管理テーブル１４は、乗客をグループ化する際に利用されるテーブルであり、図３（Ｂ）に示すように通過時刻欄１４Ａ、メンバ欄１４Ｂ、方向欄１４Ｃ、グループ名欄１４Ｄ及びグループ種別欄１４Ｅを備えて構成される。グループ管理テーブル１４では、１つのエントリ（行）は１つのグループに対応する。またエントリは上から順に登録される。
【００４０】
通過時刻欄１４Ａには、「１５：１５：００」又は「５／１０  １５：１５」といったグループ種別に応じた形式で、グループのメンバのうちで最初にセキュリティゲート３を通過した乗客の通過した時刻情報が格納される。またメンバ欄１４Ｂには、グループのメンバとして複数の乗客名が格納される。方向欄１４Ｃには、入場又は退場といった建物に対するメンバの進行方向情報が格納される。グループ名欄１４Ｄには、グループの名前を示すグループ名が格納される。グループ種別欄１４Ｅには、グループが第１のグループか第２のグループかを示すグループ種別情報が格納される。第１のグループの場合はグループ種別欄１４Ｅには「１」が格納され、第２のグループの場合はグループ種別欄１４Ｅには「２」が格納される。
【００４１】
（２）セキュリティゲート連動グループ別乗りかご割り当て処理
次にかかるセキュリティゲート連動グループ別乗りかご割り当て機能に関連して、エレベータ制御装置８により実行されるセキュリティゲート連動グループ別乗りかご割り当て処理について図４を用いて説明する。なお、以下においては、各処理の主体をプログラム（ＩＤ情報管理モジュール１１及び乗りかご割り当てモジュール１２）として説明するが、実際上は、そのプログラムに基づいてコントローラ９がその処理を実行することは言うまでもない。
【００４２】
このセキュリティゲート連動グループ別乗りかご割り当て処理は、エレベータ制御装置８が、ＩＤをセキュリティゲート３から取得すると開始され、エレベータ２の乗りかごがセキュリティゲート３の設置されたフロアに到着するまで繰り返される。このセキュリティゲート連動グループ別乗りかご割り当て処理は、まず、エレベータ制御装置８のＩＤ情報管理モジュール１１は、グループ設定処理ＲＴ１に進む。
【００４３】
ＩＤ情報管理モジュール１１は、図５に示すように、グループ設定処理ＲＴ１として、履歴管理テーブル１３を参照して履歴データをチェックする（Ｓ１）。次にＩＤ情報管理モジュール１１は、履歴管理テーブル１３からグループを抽出する（Ｓ２）。実際上、ＩＤ情報管理モジュール１１は、方向欄１３Ｃが同一、かつ、通過時刻欄１３Ａの時刻が所定の期間内である乗客名をグループとして抽出する。例えばＩＤ情報管理モジュール１１は、３秒以内なら第１のグループとして抽出し、１分以内なら第２のグループとして抽出する。
【００４４】
ＩＤ情報管理モジュール１１は、グループが抽出できたか否かを判断し（Ｓ３）、この判断で肯定結果を得ると、グループ管理テーブル１４にメンバを登録することでグループを登録し（Ｓ４）、このグループ設定処理ＲＴ１を終了する。これに対して、ＩＤ情報管理モジュール１１は、ステップＳ３の判断で否定結果を得るとこのグループ設定処理ＲＴ１を終了する。
【００４５】
ＩＤ情報管理モジュール１１は、グループ設定処理ＲＴ１を終了すると、乗りかご割り当てモジュール１２を呼び出す。乗りかご割り当てモジュール１２は、群管理制御処理ＲＴ２に進む。
【００４６】
乗りかご割り当てモジュール１２は、図６に示すように、群管理制御処理ＲＴ２として、セキュリティゲート３から取得したＩＤに対応する乗客が入場しているか否かを判断する（Ｓ５）。乗りかご割り当てモジュール１２は、この判断で否定結果を得るとこの群管理制御処理ＲＴ２を終了する。
【００４７】
これに対して、乗りかご割り当てモジュール１２は、ステップＳ５の判断で肯定結果を得ると、例えば出勤時間帯などの特定期間か否かを判断する（Ｓ６）。乗りかご割り当てモジュール１２は、この判断で肯定結果を得ることで混雑時と判断し、セキュリティゲート３から取得したＩＤに対応する乗客にすぐにエレベータを割り当て（Ｓ１１）、この群管理制御処理ＲＴ２を終了する。
【００４８】
これに対して、乗りかご割り当てモジュール１２は、ステップＳ６の判断で否定結果を得るとグループ管理テーブル１４を参照して、セキュリティゲート３から取得したＩＤに対応する乗客を含むグループがあるか否かを判断する（Ｓ７）。乗りかご割り当てモジュール１２は、この判断で否定結果を得ると、セキュリティゲート３から取得したＩＤに対応する乗客にすぐにエレベータを割り当て（Ｓ１１）、この群管理制御処理ＲＴ２を終了する。
【００４９】
これに対して、乗りかご割り当てモジュール１２は、ステップＳ７の判断で肯定結果を得るとグループ内のメンバに対してエレベータが割り当て済みか否かを判断する（Ｓ８）。乗りかご割り当てモジュール１２は、この判断で否定結果を得ると、セキュリティゲート３から取得したＩＤに対応する乗客にすぐにエレベータを割り当て（Ｓ１１）、この群管理制御処理ＲＴ２を終了する。
【００５０】
これに対して、乗りかご割り当てモジュール１２は、ステップＳ８の判断で肯定結果を得るとセキュリティゲート３から取得したＩＤに対応する乗客に、グループ内のメンバに対して割り当てたエレベータ２と同じエレベータ２が割り当て可能か否かを判断する（Ｓ９）。乗りかご割り当てモジュール１２は、この判断で否定結果を得ると、セキュリティゲート３から取得したＩＤに対応する乗客にすぐにエレベータを割り当て（Ｓ１１）、この群管理制御処理ＲＴ２を終了する。
【００５１】
これに対して、乗りかご割り当てモジュール１２は、ステップＳ９の判断で肯定結果を得るとセキュリティゲート３から取得したＩＤに対応する乗客に、グループ内のメンバに対して割り当てたエレベータ２と同じエレベータ２が割り当て（Ｓ１０）、この群管理制御処理ＲＴ２を終了する。
【００５２】
日付が変わる際にＩＤ情報管理モジュール１１は、図７に示すグループチェック処理を行う。まずＩＤ情報管理モジュール１１は、グループ管理テーブル１４を参照し、グループ内の各メンバがグループ化の条件を満たしているか否かを判断する（Ｓ１５）。ＩＤ情報管理モジュール１１は、この判断で肯定結果を得ると、ステップＳ１９に進む。
【００５３】
なお、第１のグループのグループ化の条件はグループ化した当日中か否かとする。また第２のグループのグループ化の条件は、そのメンバが登録から１カ月経過しているか否かとする。このため、第１のグループについては、登録した次の日になる際にグループが解消される。
【００５４】
ＩＤ情報管理モジュール１１は、ステップＳ１５の判断で肯定結果を得ると、条件に合わないメンバをグループから除外し（Ｓ１６）、グループ内のメンバ数が１人以下か否かを判断する（Ｓ１７）。ＩＤ情報管理モジュール１１は、この判断で肯定結果を得るとグループ内のメンバが１人以下のグループを解消する（Ｓ１８）。次にＩＤ情報管理モジュール１１は、全てのグループについてチェックが終わるまでＳ１５〜Ｓ１９の処理を繰り返し（Ｓ１９）、このグループチェック処理を終了する。
【００５５】
（３）本実施形態の効果
以上のように本実施形態のエレベータ制御システム１では、ＩＤがセキュリティゲート３から入力されるタイミングに応じて、そのＩＤで特定される乗客をグループとして管理して同一のエレベータ２の乗りかごに割り当てる。
【００５６】
従って、本エレベータ制御システム１によれば、高層ビルのような複数の人が纏まって頻繁に訪れるような環境であっても、利用者グループに対する、エレベータの群管理を迅速かつ適切に達成できる。
【００５７】
また、本エレベータ制御システム１では、連続してＩＤが入力された場合の第１のグループ化によるＩＤのグループ化を優先しつつ、少し時間が空いてＩＤが入力された場合も第２のグループ化によってＩＤをグループ化することで、より効率的に群制御を行うことができる。
【００５８】
（４）他の実施形態
なお、上述の実施形態においては、第１のグループ化及び第２のグループ化の両方を行う場合について述べたが、本発明はこれに限らず、第１のグループ化のみを行ったり、第２のグループ化のみを行ったりといったこの他種々のエレベータ制御システム１に広く適用することができる。
【００５９】
また上述の実施形態においては、第２のグループによるグループ化でも、第１のグループによるグループ化と同様に１グループの人数は２人以上であればよい場合について述べたが、本発明はこれに限らず、第２のグループによるグループ化は、１グループの人数の下限を設定することができるようにし、第２のグループによるグループ化では例えばグループは３人以上いなければならないようにしてもよい。
【００６０】
さらに上述の実施形態においては、履歴管理テーブル１３及びグループ管理テーブル１４を用いる場合について述べたが、本発明はこれに限らず、グループ管理テーブル１４のみを用いるようにしてもよく、上述の実施形態と同様の効果を得ることができる。
【００６１】
この場合、グループ設定処理ＲＴ１の代わりに図８に示すグループ設定処理ＲＴ３を行う。具体的には、ＩＤ情報管理モジュール１１は、所定の期間内（３秒以内、１分以内など）にセキュリティゲート３から他のＩＤを取得したか否かを判断する（Ｓ２５）。ＩＤ情報管理モジュール１１は、この判断で肯定結果を得るとグループ管理テーブル１４を用いてメンバにＩＤを登録することでグループ登録を行い（Ｓ２６）、このグループ設定処理ＲＴ３を終了する。これに対して、ＩＤ情報管理モジュール１１は、ステップＳ２５の判断で否定結果を得ると、このグループ設定処理ＲＴ３を終了する。
【００６２】
さらに上述の実施形態においては、日付が変わる際にＩＤ情報管理モジュール１１が図７に示すグループチェック処理を行い、グループを更新する場合について述べたが、本発明はこれに限らず、エレベータ２の乗りかごがセキュリティゲート３の設置されたフロアに到着した際に、図９に示すグループチェック処理を行うようにしてもよく、上述の実施形態と同様の効果を得ることができる。
【００６３】
具体的には、ＩＤ情報管理モジュール１１は、検出されたＩＤを含むグループがエレベータ２の乗りかごに割り当て済みか否かを判断し（Ｓ３１）、この判断で肯定結果を得た場合はグループを解消し（Ｓ３２）、全てのグループに関してチェックが終わるまでステップＳ３１〜Ｓ３３を繰り返す（Ｓ３３）。
【符号の説明】
【００６４】
１……エレベータ制御システム、２……エレベータ、３……セキュリティゲート、４……ノード、５……表示器、８……エレベータ制御装置、９……コントローラ、１０……メモリ、１１……ＩＤ情報管理モジュール、１２……乗りかご割り当てモジュール、１３……履歴管理テーブル、１４……グループ管理テーブル。
【図１】
2019031393.tif 000003
【図２】
2019031393.tif 000004
【図３】
2019031393.tif 000005
【図４】
2019031393.tif 000006
【図５】
2019031393.tif 000007
【図６】
2019031393.tif 000008
【図７】
2019031393.tif 000009
【図８】
2019031393.tif 000010
【図９】
2019031393.tif 000011